(57)【要約】      （修正有）【課題】軽量で運搬が容易であり、既存の床板上に敷設することができると共に、防音性能が高く、装飾プリント面を活かす加工の施された床パネルを提供する。【解決手段】長手板体の長辺側縁部に実矧ぎ状の結合部１１を形成し、かつ裏面に複数の凹溝１２を備えた塩化ビニル系樹脂の発泡基材１と、発泡基材の少なくとも一方の表面に貼着された装飾プリント面２１を具備した装飾樹脂板２とから構成する。発泡基材の裏面に粘着層と剥離シートを備えるのが好ましい。【選択図】図１
0003193458.tif 000002
【実用新案登録請求の範囲】
【請求項１】
長手板体の長辺側縁部に実矧ぎ状の結合部（11）を形成し、かつ裏面に凹溝（12）・（12）…を備えた塩化ビニル系樹脂の発泡基材（１）と、上記発泡基材（１）の少なくとも一方の表面に貼着された装飾プリント面（21）を具備した装飾樹脂板（２）とからなることを特徴とする床パネル。
【請求項２】
長手板体の長辺側縁部に実矧ぎ状の結合部（11）を形成し、かつ裏面に凹溝（12）・（12）…を備えた塩化ビニル系樹脂の発泡基材（１）と、上記発泡基材（１）の少なくとも一方の表面に貼着された装飾プリント面（21）を具備した装飾樹脂板（２）と、発泡基材（１）の裏面に塗布される剥離シート（31）を備えた粘着層（３）とからなることを特徴とする床パネル。
【請求項３】
発泡倍率が１．１〜２．０倍の発泡基材（１）を使用したことを特徴とする請求項１又は２に記載の床パネル。
【請求項４】
塩化ビニル系樹脂に無機系難燃剤を混合したものを発泡基材（１）としたことを特徴とする請求項１〜３の何れか一項に記載の床パネル。
【請求項５】
装飾樹脂板（２）に具備された装飾プリント面（21）が木目や大理石を模したものであることを特徴とする請求項１〜４の何れか一項に記載の床パネル。
【請求項６】
発泡基材（１）に貼付された装飾樹脂板（２）に熱可塑性樹脂製の化粧シート（22）または、ＵＶコーティング層（23）、若しくはその両方を接着し、耐擦過性を向上させたことを特徴とする請求項１〜５の何れか一項に記載の床パネル。
【考案の詳細な説明】
【技術分野】
【０００１】
本考案は、床パネルの改良、更に詳しくは、既存の床板上に張り付けることが可能であり、表面に装飾が施された床パネルに関するものである。
【背景技術】
【０００２】
近年、集合住宅や戸建住宅においてリフォームの需要が増加している。リフォームの内容としては様々であるが、例えば、床を畳からフローリングに変更するものがある。
【０００３】
フローリング化に際し、特に注意が必要とされるのが階下の部屋への伝導騒音問題である。室内騒音には重量床衝撃音、軽量床衝撃音があり、前者は走り回る音・飛び跳ねる音といった音等、後者は食器等の軽量物を落とした際に発生する音・スリッパ等を履いた状態で歩行する際に発生する音等である。
【０００４】
重量床衝撃音の主な原因は、リフォーム前の床基礎となるコンクリートが少ないことに起因している。また、軽量床衝撃音の原因としてはフローリングに変更したことにより、畳に比べ床が堅く、音が発生し易くなっていることに起因する。
【０００５】
特に、軽量床衝撃音は、日常的に発生するものであり、階上の住人は騒音が発生しないよう注意しながら生活する必要があり、また、階下住人は騒音によるストレスがかかるというように両者共精神的負担が大きいという問題があった。
【０００６】
これらの問題を解決するため、従来より発泡樹脂からなる床材を使用して遮音性を向上させる技術（特許文献１参照）が知られているが、装飾性に欠けている。そこで、床材の表層に装飾プリント面を有した化粧シートを張り付ける技術（特許文献２参照）が知られている。しかし、この技術は床板の基材に木材を使用しているため、重く、運搬し難いという問題があった。
【先行技術文献】
【特許文献】
【０００７】
【特許文献１】特開２００７−８５１４９号公報
【特許文献２】特開２００４−８４２８４号公報
【考案の開示】
【考案が解決しようとする課題】
【０００８】
本考案は、従来の床パネルに上記のような問題があったことに鑑みて為されたものであり、その目的とするところは、軽量で運搬が容易であり、既存の床板上に敷設することができると共に、防音性能が高く、装飾プリント面を活かす加工の施された床パネルを提供することにある。
【課題を解決するための手段】
【０００９】
本考案者が上記課題を解決するために採用した手段を添付図面を参照して説明すれば次のとおりである。
【００１０】
即ち、長手板体の長辺側縁部に実矧ぎ状の結合部11を形成し、かつ裏面に凹溝12・12…を備えた塩化ビニル系樹脂の発泡基材１と、上記発泡基材１の少なくとも一方の表面に貼着された装飾プリント面21を具備した装飾樹脂板２とからなることを特徴とする。
【００１１】
また、本考案は、長手板体の長辺側縁部に実矧ぎ状の結合部11を形成し、かつ裏面に凹溝12・12…を備えた塩化ビニル系樹脂の発泡基材１と、上記発泡基材１の少なくとも一方の表面に貼着された装飾プリント面21を具備した装飾樹脂板２と、発泡基材１の裏面に塗布される剥離シート31を備えた粘着層３とからなることを特徴とする。
【００１２】
また、本考案は、上記課題を解決するために、必要に応じて上記手段に加え、発泡倍率が１．１〜２．０倍の発泡基材１を使用ことができる。
【００１３】
また、本考案は、上記課題を解決するために、塩化ビニル系樹脂に無機系難燃剤を混合したものを発泡基材１として使用することができる。
【００１４】
また、本考案は、上記課題を解決するために、装飾樹脂板２に具備された装飾プリント面21が木目や大理石を模したもの使用することができる。
【００１５】
また、本考案は、上記課題を解決するために、発泡基材１に貼付された装飾樹脂板２に熱可塑性樹脂製の化粧シート22または、ＵＶコーティング層23、若しくはその両方を接着し、耐擦過性を向上させることができる。
【考案の効果】
【００１６】
本考案において、床パネルは、塩化ビニル系樹脂の発泡基材を使用することにより、防音性能を向上させることが可能になると共に、長辺側縁部に設けた実矧ぎ状の結合部により、隣り合う床パネル同士を隙間なく堅固に連結することができる。
【００１７】
本考案においては、凹溝を形成した発泡基材を使用することにより、接着の際に凹溝を糊溜まりにして接着性を向上させることができる。
【００１８】
本考案においては、剥離シートを備えた粘着層を発泡基材の裏面に設けることにより、一層簡単に床材を貼り付けることが可能になる。
【００１９】
本考案においては、発泡倍率が１．１〜２．０倍の発泡基材を使用することにより、防音性能を向上させると共に、床材として適当な硬さを維持することを可能にした。
【００２０】
本考案においては、塩化ビニル系樹脂に無機系難燃剤を混合したものを発泡基材として床パネルを構成することにより、耐火性を向上させることが可能となる。
【００２１】
本考案においては、装飾プリント面に木目や大理石を模したものを装飾樹脂板として使用することにより床パネルのデザイン性を向上させることが可能となる。
【００２２】
本考案においては、装飾樹脂板の表面に熱可塑性樹脂製の化粧シートまたは、ＵＶコーティング層、若しくはその両方を接着することにより、耐擦過性を向上させることが可能になる。
【図面の簡単な説明】
【００２３】
【図１】本実施例１の床パネルを表した斜視図である。
【図２】本実施例１の装飾樹脂板を表した斜視図である。
【図３】本実施例１の発泡基材の裏面を表した斜視図である。
【図４】本実施例１の使用状態を表した斜視図である。
【図５】本実施例２の粘着層を表した斜視図である。
【図６】本考案の変形例を表した斜視図である。
【図７】本考案の変形例の使用状態を表した斜視図である。
【考案を実施するための形態】
【００２４】
本考案を実施するための形態を、具体的に図示した図面に基づいて、更に詳細に説明すると、次のとおりである。
【００２５】
『実施例１』
本考案の実施例を図１から図４に基づいて説明する。図中、符号１で指示するものは、塩化ビニル系樹脂の発泡基材であり、この発泡基材１は、長手板体に形成されており、長手方向の両側面に実矧ぎ状の結合部11を設けると共に、裏面には凹溝12を形成した（図１参照）。本実施例においては、発泡倍率２倍で形成した塩化ビニル発泡樹脂に無機系難燃剤として石粉を添加したものを使用した。
【００２６】
また、符号２で指示するものは、装飾樹脂板であり、この装飾樹脂板２は、発泡基材１の表面に接着される。更に、装飾樹脂板２の表面には、装飾プリント面21が具備されており、その表面に化粧シート22、及びＵＶコーティング層23が接着されている。本実施例において、装飾樹脂板２は、ポリオレフィン製であり、装飾プリント面21には木目が印刷されているものを使用した（図２参照）。
【００２７】
次に、床パネルの使用方法を図４に基づいて説明する。まず、リフォーム前の住居に張られている既設の床板のワックス等を磨き落とし、糊付けし易くする。
そして、本考案の床パネルの裏面（図３参照）に糊付けして、既設床板に貼り付ける。２枚目以降の貼り付けに関しては、実矧ぎ状の結合部を連結させ貼り付けていき、不要部分はカッター等で切断し調節する（図４参照）。
【００２８】
本実施例は、床パネルを構成するためのベース基材に、塩化ビニル系樹脂を発泡させた発泡基材１を使用することにより、木材をベース基材としたものより軽量であり、かつ発泡基材中の泡が吸音効果を有しているため防音性を向上させることが可能となる。
【００２９】
『実施例２』
次に、実施例２を図５に基づいて説明する。図中符号３で指示するものは粘着層であり、この粘着層３は、発泡基材１の裏に塗布され、既設の床パネルとの接着面には剥離シート31を備えている（図５参照）。
【００３０】
本実施例２は、上記実施例１に記載のとおり構成された床パネルに加え、当該構成の発泡基材１の裏面に剥離シート31を備えた粘着面３を塗布することにより、既設床への貼り付けを一層容易に行うことができる。また、実施例１に類する構造であるため当然に実施例１で得られる効果を有する。
【００３１】
『変形例』
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００３２】
本実施例では装飾樹脂板２の色合いを特に指定していないが、表面に具備された装飾プリント面21に印刷される模様と同系色の着色を施すことも可能である。
【００３３】
本実施例では、装飾樹脂板２にポリオレフィン製のものを使用するとしたが、ポリエチレンテレフタレート製のものを使用することも可能である。
【００３４】
装飾樹脂板２から発泡基材１にかけて、長辺側上縁部を面取りし、床パネル同士を連結した際に、Ｖ字、またはＵ字の溝を形成することが可能となる（図６参照）。更に、上記装飾樹脂板２の色合いが装飾プリント面21と同系色のため、デザインに統一感を持たせることが可能となる（図７参照）。
【符号の説明】
【００３５】
１  発泡基材
11  結合部
12  凹溝
２  装飾樹脂板
21  装飾プリント面
22  化粧シート
23  ＵＶコーティング層
３  粘着層
31  剥離シート
【図１】
0003193458.tif 000003
【図２】
0003193458.tif 000004
【図３】
0003193458.tif 000005
【図４】
0003193458.tif 000006
【図５】
0003193458.tif 000007
【図６】
0003193458.tif 000008
【図７】
0003193458.tif 000009